(57)【要約】【課題】不具合の有無を容易に推定することができる携帯機及びセキュリティ制御システムを提供する。【解決手段】携帯機２０の通信制御部２１は、セキュリティ機器１０から送信される複数種の応答要求信号（第１登録要求信号、第２登録要求信号、リクエスト信号）を受信した際に、該応答要求信号に対応した応答信号（機器コード信号、ＩＤコード信号）を外部に送信する。また、登録モードにおいて通信制御部２１は、第１登録要求信号、第２登録要求信号及び登録完了信号のうちの何れかを正常に受信した際にはその旨を示す受信履歴を通信履歴としてメモリ２１Ｍに記録する。さらに、通信制御部２１は、それら信号に対応する機器コード信号及びＩＤコード信号の何れかを正常に送信した際にはその旨を示す送信履歴を通信履歴としてメモリ２１Ｍに記録する。【選択図】図１
2007303127.tif 000002
【特許請求の範囲】
【請求項１】
対応するセキュリティ機器と無線通信を行う無線通信機能を有するとともに、その無線通信に基づいて該セキュリティ機器を遠隔制御する携帯機であって、
前記セキュリティ機器に個別に設定された機器コード、及び該セキュリティ機器との通信履歴を記録する記録手段と、
前記セキュリティ機器から送信される応答要求信号を受信した際に、該応答要求信号に対応した応答信号を外部に送信する制御を行う通信制御手段とを備え、
該通信制御手段は、
前記機器コードを含む応答要求信号の受信を条件として該機器コードを前記記録手段に記録することにより、対応するセキュリティ機器を通信対象として登録する登録モードと、該登録された機器コードに基づいて対応するセキュリティ機器と無線通信を行うことによって該セキュリティ機器を遠隔制御する動作モードとを有するとともに、
前記登録モードにおいては、前記応答要求信号を正常に受信した旨と、該応答要求信号に対応した前記応答信号を正常に送信した旨とをそれぞれ示す各通信履歴を、それぞれ個別に前記記録手段に記録することを特徴とする携帯機。
【請求項２】
前記登録モードにおいて前記通信制御手段は、前記セキュリティ機器から複数種の前記応答要求信号が段階的に送信される場合には、それら応答要求信号を正常に受信する毎にその旨をそれぞれ示す各通信履歴を個別且つ段階的に前記記録手段に記録するとともに、各応答要求信号に対応する複数種の前記応答信号をそれぞれ正常に送信する毎にその旨をそれぞれ示す各通信履歴を個別且つ段階的に前記記録手段に記録することを特徴とする請求項１に記載の携帯機。
【請求項３】
前記登録モードにおいて前記通信制御手段は、前記セキュリティ機器から送信される登録完了信号を前記応答信号の送信後に正常に受信した際には、その旨を示す通信完了履歴についても個別に前記記録手段に記録することを特徴とする請求項１または請求項２に記載の携帯機。
【請求項４】
請求項３に記載の携帯機と、その携帯機との無線通信に基づいて制御を行うセキュリティ機器とを備えたセキュリティ制御システムであって、
前記セキュリティ機器は、
前記携帯機を無線通信対象として登録する登録モードと、該携帯機との無線通信に基づいてセキュリティ機能の設定及び解除を行う通常モードとを有するとともに、
前記登録モードにおいては、前記携帯機の記録手段に記録された機器コードを含む第１応答信号の送信を要求する第１登録要求信号を前記応答要求信号として送信した後、予め設定された条件を満たす前記第１応答信号を受信した際に、該携帯機に予め設定された識別コードを含む第２応答信号の送信を要求する第２応答要求信号を前記応答要求信号として送信し、該第２応答信号を受信した際に、その第２応答信号に含まれる前記識別コードを自身の機器側記録手段に記録するとともに、その記録が完了した旨を示す登録完了信号を送信する登録処理を行うことを特徴とするセキュリティ制御システム。
【発明の詳細な説明】
【技術分野】
【０００１】
本発明は、例えば車両のドア錠の施解錠制御を行うドア錠施解錠装置などのセキュリティ機器を無線通信によって遠隔操作する携帯機、及びその携帯機を用いたセキュリティ制御システムに関するものである。
【背景技術】
【０００２】
従来、セキュリティ機器を無線による相互通信によって遠隔操作するセキュリティ制御システムとして、例えば特許文献１に記載される車両用セキュリティ制御システムが提案されている。
【０００３】
この車両用セキュリティ制御システムでは、携帯機とセキュリティ機器との間で無線による相互通信を行わせることにより、車両のドア錠を自動的に施解錠させたり、エンジンの始動を許可したりするようになっている。詳しくは、セキュリティ機器は、車両周辺の所定領域や車両室内の所定領域にリクエスト信号を送信するようになっている。また、携帯機は、対応するセキュリティ機器から送信されたリクエスト信号を受信すると、自身に予め設定されたＩＤコードを含むＩＤコード信号を自動的に返信するようになっている。そして、セキュリティ機器は、ＩＤコード信号を受信すると、該ＩＤコード信号のＩＤコードと自身に予め設定されたＩＤコードとの比較を行い、該ＩＤコード同士が一致したことを条件として、ドア錠を自動的に解錠させたり、エンジンを始動許可状態にしたりする制御を行うようになっている。
【０００４】
ところで、携帯機とセキュリティ機器とを通信させるためには、両者間の対応付け（登録）が必要である。詳しくは、携帯機は、対応するセキュリティ機器からのリクエスト信号を認識必要がある。また、セキュリティ機器は、対応する携帯機からのＩＤコード信号を認識する必要がある。このため、携帯機にはセキュリティ機器に個別に設定された機器コードを登録するとともに、セキュリティ機器には携帯機に個別に設定されたＩＤコードを登録する必要がある。
【０００５】
通常、こうした登録作業は、携帯機及びセキュリティ機器を登録モードに切り換えた状態で相互通信を行わせることによって完了する。
具体的には、例えば図６に示すように、登録モードにおいてセキュリティ機器５１は、まず機器コードの送信を要求する第１応答要求信号を送信する。携帯機５２は、登録モードにおいてその第１応答要求信号を受信すると、自身のメモリ５２Ｍに記録されている既存の機器コードを送信する。なお、メモリ５２Ｍには、未登録状態においては予め設定された初期コードが記録されており、既に登録作業が完了している状態においてはその初期コードが対応する機器コードに更新された状態となっている。そして、携帯機５２は、第１応答要求信号を受信すると、未登録状態においては初期コードを含む第１応答信号を送信し、登録完了状態においては既存の機器コードを含む第１応答信号を送信する。
【０００６】
こうした第１応答信号を受信すると、セキュリティ機器５１は、それに含まれる機器コードまたは初期コードと、自身のメモリ５１Ｍに予め設定された機器コードとの照合を行う。その結果、セキュリティ機器５１は、第１応答信号に初期コードが含まれていると判断した場合、または照合一致する機器コードが第１応答信号に含まれていると判断した場合には、その機器コードと、携帯機５２のメモリ５２Ｍに予め記録されたＩＤコードの送信を要求する旨を示すＩＤ要求コードとを含む第２応答要求信号を送信する。
【０００７】
そして、第２応答要求信号を受信すると携帯機５２は、メモリ５２Ｍに初期コードが記録されている場合には、その初期コードを該第２応答要求信号に含まれる機器コードに書き換える。また、該メモリ５２Ｍに対する機器コードの記録が終了した後、または該第２応答要求信号に含まれる機器コードがメモリ５２Ｍに記録された機器コードと一致する場合、携帯機５２は、該メモリ５２Ｍに記録されたＩＤコードを含む第２応答信号を送信して登録処理を終了する。
【０００８】
こうした第２応答信号を受信すると、セキュリティ機器５１は、該第２応答信号に含まれるＩＤコードをメモリ５１Ｍに記録する。このときセキュリティ機器５１は、メモリ５１Ｍに既に対応するＩＤコードが記録されている場合には、該記録処理を行わずに登録処理を終了する。
【特許文献１】特開２００１−３１１３３３号公報
【発明の開示】
【発明が解決しようとする課題】
【０００９】
しかしながら、従来のセキュリティ制御システムでは、前記登録処理が正常に完了しない場合に、それが携帯機５２の不具合に起因するものなのか、その他の別の要因によるものなのかを特定することが困難であった。
【００１０】
具体的には、携帯機５２やセキュリティ機器５１に不具合が生じている状態はもちろん、不具合が生じていない状態においても、例えば無線通信時においてノイズ等の外乱が混入すると登録処理は正常に完了しない。また、携帯機５２と対応付け可能なセキュリティ機器５１は一つのみであることから、既に登録処理が完了している携帯機５２を、誤って他のセキュリティ機器５１との対応付けを行おうとした場合等のヒューマンエラーの発生時においても、該他のセキュリティ機器５１との間の登録処理は完了しない。
【００１１】
しかしながら、こうした登録処理が正常に完了しない原因を特定しにくい現状においては、携帯機５２に不具合が生じていると判断されやすく、携帯機５２に不具合が生じていないにもかかわらず、販売店などのメーカ側に携帯機５２が返却されてしまうことも少なからずあった。そして、メーカ側においても、返却された携帯機５２に不具合が生じているか否かの検証を行うためには、該携帯機５２の機能チェックを全て行う必要があり、その作業が煩雑であった。
【００１２】
本発明はこうした実情に鑑みてなされたものであり、その目的は、不具合の有無を容易に推定することができる携帯機及びセキュリティ制御システムを提供することにある。
【課題を解決するための手段】
【００１３】
上記の課題を解決するために、請求項１に記載の発明では、対応するセキュリティ機器と無線通信を行う無線通信機能を有するとともに、その無線通信に基づいて該セキュリティ機器を遠隔制御する携帯機であって、前記セキュリティ機器に個別に設定された機器コード、及び該セキュリティ機器との通信履歴を記録する記録手段と、前記セキュリティ機器から送信される応答要求信号を受信した際に、該応答要求信号に対応した応答信号を外部に送信する制御を行う通信制御手段とを備え、該通信制御手段は、前記機器コードを含む応答要求信号の受信を条件として該機器コードを前記記録手段に記録することにより、対応するセキュリティ機器を通信対象として登録する登録モードと、該登録された機器コードに基づいて対応するセキュリティ機器と無線通信を行うことによって該セキュリティ機器を遠隔制御する動作モードとを有するとともに、前記登録モードにおいては、前記応答要求信号を正常に受信した旨と、該応答要求信号に対応した前記応答信号を正常に送信した旨とをそれぞれ示す各通信履歴を、それぞれ個別に前記記録手段に記録することを要旨とする。
【００１４】
上記構成によると、携帯機の登録モードにあっては、セキュリティ機器から送信される応答要求信号が携帯機によって正常に受信されると、その旨を示す通信履歴が記録手段に記録される。また、その応答要求信号に対応した応答信号が携帯機から正常に送信された際にも、その旨を示す通信履歴が記録手段に記録される。そして、これら通信履歴はそれぞれ個別に記録手段に記録されるため、セキュリティ機器を通信対象として登録する登録作業を行っても該登録が完了しなかった場合には、記録手段に記録された通信履歴から、携帯機の機能に異常が生じているか否かを判断可能となる。具体的には、例えば応答要求信号を正常に受信した履歴と、その応答要求信号に対応した応答信号を正常に送信した履歴とが記録手段に存在する場合には、携帯機の機能に異常が生じておらず、他の要因によって登録が完了していない確率が高い。また、例えば応答要求信号を正常に受信した履歴は存在するものの、その応答要求信号に対応した応答信号を正常に送信した履歴が存在しない場合には、携帯機の機能に異常が生じている確率が高い。よって、携帯機に不具合が生じているか否かを容易に推定することが可能となる。
【００１５】
請求項２に記載の発明では、請求項１に記載の携帯機において、前記登録モードにおいて前記通信制御手段は、前記セキュリティ機器から複数種の前記応答要求信号が段階的に送信される場合には、それら応答要求信号を正常に受信する毎にその旨をそれぞれ示す各通信履歴を個別且つ段階的に前記記録手段に記録するとともに、各応答要求信号に対応する複数種の前記応答信号をそれぞれ正常に送信する毎にその旨をそれぞれ示す各通信履歴を個別且つ段階的に前記記録手段に記録することを要旨とする。
【００１６】
上記構成によると、セキュリティ機器との間で登録のための通信が段階的に行われた際に、どの段階まで通信が正常に行われたかを、携帯機から抽出することが可能となる。このため、登録が完了しなかった場合には、その通信履歴に基づいて要因を推定しやすくなる。
【００１７】
請求項３に記載の発明では、請求項１または請求項２に記載の携帯機において、前記登録モードにおいて前記通信制御手段は、前記セキュリティ機器から送信される登録完了信号を前記応答信号の送信後に正常に受信した際には、その旨を示す通信完了履歴についても個別に前記記録手段に記録することを要旨とする。
【００１８】
上記構成によると、記録手段に登録完了履歴が存在するか否かを調べることにより、携帯機が既に登録完了状態にあるのか未完了状態であるのかを確実に把握することが可能となる。
【００１９】
請求項４に記載の発明では、請求項３に記載の携帯機と、その携帯機との無線通信に基づいて制御を行うセキュリティ機器とを備えたセキュリティ制御システムであって、前記セキュリティ機器は、前記携帯機を無線通信対象として登録する登録モードと、該携帯機との無線通信に基づいてセキュリティ機能の設定及び解除を行う通常モードとを有するとともに、前記登録モードにおいては、前記携帯機の記録手段に記録された機器コードを含む第１応答信号の送信を要求する第１応答要求信号を前記応答要求信号として送信した後、予め設定された条件を満たす前記第１応答信号を受信した際に、該携帯機に予め設定された識別コードを含む第２応答信号の送信を要求する第２応答要求信号を前記応答要求信号として送信し、該第２応答信号を受信した際に、その第２応答信号に含まれる前記識別コードを自身の機器側記録手段に記録するとともに、その記録が完了した旨を示す登録完了信号を送信する登録処理を行うことを要旨とする。
【００２０】
上記構成によると、登録モードにおいてセキュリティ機器は、まず第１応答要求信号を送信し、携帯機から対応する第１応答信号を受信した際に第２応答要求信号を送信する。その後、セキュリティ機器は、携帯機から対応する第２応答信号を受信すると、その第２応答信号に含まれる識別コードを機器側記録手段に記録するとともに、登録完了信号を送信する。すなわち、登録モードにおいてセキュリティ機器は、複数種の信号を段階的に送信する。そして、携帯機は、これら信号を正常に受信した場合にはその旨を示す通信履歴を記録手段に記録するとともに、第１応答信号及び第２応答信号を正常に送信した場合にはその旨を示す通信履歴を記録手段に記録する。このため、携帯機の記録手段に記録された各通信履歴を抽出すれば、携帯機とセキュリティ機器との間でどの段階まで通信が正常に行われたかを認識可能となる。よって、登録が完了しなかった場合には、その通信履歴に基づいて要因を推定することが可能となる。
【発明の効果】
【００２１】
以上詳述したように、本発明によれば、不具合の有無を容易に推定することができる。
【発明を実施するための最良の形態】
【００２２】
以下、本発明を車両用ドア錠の施解錠を制御する車両用セキュリティ制御システムに具体化した一実施形態を図１〜図５に基づき詳細に説明する。
図１に示すように、セキュリティ制御システム１は、セキュリティ機器１０と、そのセキュリティ機器１０と無線通信による相互通信可能な携帯機２０とを備えている。図２に示すように、セキュリティ機器１０は車両２内に搭載され、携帯機２０は該車両２の所有者（ユーザ）によって所持される。
【００２３】
＜セキュリティ機器１０の構成及び機能＞
図１に示すように、セキュリティ機器１０は、セキュリティ制御部１１と、そのセキュリティ制御部１１に電気的に接続された送信回路１２、受信回路１３及びドアロック装置１４とを備えている。
【００２４】
送信回路１２は、セキュリティ制御部１１から入力される各種信号を携帯機２０によって受信可能な周波数の電波に変調して外部に送信する。なお、この電波は、図２に示すように、車両２の周辺の領域Ａ１（ここでは車両２から１〜２ｍの範囲）において携帯機２０が受信可能となる強度で送信されるように設定されている。
【００２５】
受信回路１３は、携帯機２０から送信される無線信号を受信可能に構成され、それら信号をパルス信号に復調してセキュリティ制御部１１に出力する。
ドアロック装置１４は、ドア錠を電気的に施解錠するアクチュエータを含む駆動回路部であり、セキュリティ制御部１１から入力される施錠駆動信号及び解錠駆動信号に基づいてドア錠を施解錠させる。
【００２６】
セキュリティ制御部１１は、具体的には図示しないＣＰＵ、ＲＯＭ、ＲＡＭ等によって構成され、機器側記録手段としての不揮発性のメモリ１１Ｍを備えている。このメモリ１１Ｍには、予め設定された機器コードが記録されているとともに、携帯機２０に予め設定された識別コード（ＩＤコード）を記録可能となっている。
【００２７】
こうしたセキュリティ制御部１１は、携帯機２０との通信に基づいてドアロック装置１４の駆動制御を行う通常モードと、携帯機２０を通信対象として登録する際に行う登録モードとを有している。
【００２８】
通常モードにおいてセキュリティ制御部１１は、まず、通信領域（前記領域Ａ１）内に携帯機２０が存在するか否かを判断するためのＷＡＫＥ信号を送信回路１２から該通信領域Ａ１に送信させる。そして、該ＷＡＫＥ信号に応答して送信された携帯機２０からのＡＣＫ信号が受信回路１３から入力されると、セキュリティ制御部１１は、メモリ１１Ｍに記録された機器コードを含むリクエスト信号を、予め設定された周期で間欠的に送信回路１２に出力する。また、セキュリティ制御部１１は、施解錠操作信号や、該リクエスト信号に応答して送信された携帯機２０からのＩＤコード信号が受信回路１３から入力されると、それら信号に含まれるＩＤコードとメモリ１１Ｍに記録されたＩＤコードとの照合を行い、該照合の成立有無に基づいてドアロック装置１４に対して駆動信号を出力する。また、セキュリティ制御部１１は、受信回路１３から施解錠操作信号が入力され、該施解錠操作信号に基づくＩＤコードの照合が成立すると、該施解錠操作信号に含まれる解錠コードまたは施錠コードに基づいて解錠駆動信号または施錠駆動信号をドアロック装置１４に出力し、ドア錠を施解錠させる。
【００２９】
一方、こうしたセキュリティ制御部１１には、外部接続機器からなる登録ツール１５を接続可能となっており、セキュリティ制御部１１は、該登録ツール１５から登録指令信号が入力されると登録モードとなる。そして、登録モードにおいてセキュリティ制御部１１は、複数種の応答要求信号を送信回路１２に対して段階的に出力する登録処理を行う。詳しくは、登録モードにおいてセキュリティ制御部１１は、まず、携帯機２０に対して第１応答信号（機器コード信号）の送信を要求する第１登録要求信号を応答要求信号として送信回路１２から送信させる。そして、その第１登録要求信号に応答して送信された携帯機２０からの機器コード信号が受信回路１３から入力されると、セキュリティ制御部１１は、該機器コード信号に含まれる機器コードが初期コードであるか否かを判断し、初期コードでないと判断した場合にはその機器コードとメモリ１１Ｍに記録された機器コードとの照合を行う。その結果、セキュリティ制御部１１は、機器コード信号に含まれる機器コードが初期コードであるまたはメモリ１１Ｍに記録された機器コードと一致すると判断した場合には、該メモリ１１Ｍに記録された機器コードを含むとともに、携帯機２０に対してＩＤコード信号の送信を要求する第２登録要求信号を送信回路１２から送信させる。そして、その第２応答要求信号に応答して送信された携帯機２０からのＩＤコード信号が受信回路１３から入力されると、セキュリティ制御部１１は、該ＩＤコード信号に含まれるＩＤコードをメモリ１１Ｍに記録（登録）するとともに、登録を完了した旨を示す登録完了信号を送信回路１２から送信させる。
【００３０】
このため、携帯機２０を通信対象として対応付けするためには、登録ツール１５を用いたセキュリティ制御部１１の登録モードへの切り換えが必要となり、第三者による不正な登録が抑制される。
【００３１】
＜携帯機２０の構成及び機能＞
図１に示すように、携帯機２０は、通信制御手段としての通信制御部２１と、その通信制御部２１と電気的に接続された受信回路２２、送信回路２３、施解錠スイッチ２４、モード切換スイッチ２５及び表示部２６とを備えている。なお、通信制御部２１、受信回路２２及び送信回路２３は携帯機２０を構成する筐体内に配設され、施解錠スイッチ２４、モード切換スイッチ２５及び表示部２６は該筐体の意匠面に露出した状態で設けられている。また、本実施形態において施解錠スイッチ２４及びモード切換スイッチ２５はそれぞれ押しボタンスイッチによって構成され、表示部２６はＬＥＤによって構成されている。このため、各スイッチ２４，２５はユーザによって操作可能となるとともに、表示部２６の点灯状態がユーザによって視認可能となっている。より詳しくは、施解錠スイッチ２４は施錠スイッチと解錠スイッチとによって構成され、施錠スイッチが操作された際には施錠信号が、解錠スイッチが操作された際には解錠信号が、通信制御部２１に入力されるようになっている。
【００３２】
受信回路２２は、前記セキュリティ機器１０から送信される各種無線信号（リクエスト信号、第１登録要求信号、第２登録要求信号及び登録完了信号）を受信可能に構成され、それら信号をパルス信号に復調して通信制御部２１に出力する。
【００３３】
送信回路２３は、通信制御部２１から入力される各種信号をセキュリティ機器１０によって受信可能な周波数の電波に変調して外部に送信する。
通信制御部２１は、具体的には図示しないＣＰＵ、ＲＯＭ、ＲＡＭ等によって構成され、記録手段としての不揮発性のメモリ２１Ｍを備えている。このメモリ２１Ｍには、予め設定されたＩＤコードが記録されているとともに、セキュリティ機器１０に設定された前記機器コードを記録可能となっている。なお、機器コードが記録されていない初期状態においてメモリ２１Ｍには、予め設定された初期コードが記録されている。
【００３４】
こうした通信制御部２１は、動作を制限して低消費電力状態となるスリープモードと、セキュリティ機器１０との通信に基づいてドアロック装置１４の駆動制御を行わせる動作モードと、該セキュリティ機器１０を通信対象として登録する際に行う登録モードとを有している。
【００３５】
セキュリティ機器１０との非通信状態において通信制御部２１は、例えば送信回路２３の機能を停止する等、動作を制限して低消費電力状態となるスリープモードとなる。通信制御部２１は、こうしたスリープモードにおいてセキュリティ機器１０から前記ＷＡＫＥ信号が受信回路２２から入力されたり、施解錠スイッチ２４から操作信号が入力されたりすると、スリープモードから動作モードに切り換わる。そして、通信制御部２１は、施解錠スイッチ２４から施解錠信号（施錠信号または解錠信号）が入力された場合には、施錠または解錠の旨を示す施解錠コードと、メモリ２１Ｍに記録されたＩＤコードとを含む施解錠操作信号を送信回路２３から送信させる。それとともに、通信制御部２１は、施解錠スイッチ２４が操作された間だけ表示部２６に対して作動信号を出力して該表示部２６を点灯させる。また、通信制御部２１は、受信回路２２からＷＡＫＥ信号が入力された場合には、予め設定されたＡＣＫ信号を送信回路２３から送信させる。また、通信制御部２１は、ＡＣＫ信号の送信処理後に受信回路２２からリクエスト信号が入力されると、該リクエスト信号に含まれる機器コードとメモリ２１Ｍに記録された機器コードとの照合を行い、該照合が成立（一致）すると、メモリ２１Ｍに記録されたＩＤコードを含むＩＤコード信号を送信回路２３から送信させる。
【００３６】
一方、通信制御部２１は、モード切換スイッチ２５から操作信号が入力されると、スリープモードまたは動作モードにおいては登録モードに切り換わり、登録モードにおいてはスリープモードに切り換わる。そして、登録モードにおいて通信制御部２１は、セキュリティ機器１０から段階的に送信される複数種の無線信号に基づき、該セキュリティ機器１０を通信対象として登録する登録処理を行う。詳しくは、登録モードにおいて通信制御部２１は、前記第１登録要求信号が受信回路２２から入力されると、該第１登録要求信号を正常に受信した旨を示す受信履歴をメモリ２１Ｍに記録するとともに、メモリ２１Ｍに記録された機器コードまたは初期コードを含む機器コード信号を送信回路２３から送信させる。また、通信制御部２１は、該機器コード信号を正常に送信した場合には、その旨を示す送信履歴をメモリ２１Ｍに記録する。さらに、通信制御部２１は、前記第２登録要求信号が受信回路２２から入力されると、該第２登録要求信号を正常に受信した旨を示す受信履歴をメモリ２１Ｍに記録するとともに、該第２登録要求信号に含まれる機器コードをメモリ２１Ｍに記録する。そして、通信制御部２１は、前記ＩＤコード信号を送信回路２３から送信させるとともに、該ＩＤコード信号を正常に送信した旨を示す送信履歴をメモリ２１Ｍに記録する。その後、登録完了信号が受信回路２２から入力されると、通信制御部２１は、該登録完了信号を正常に受信した旨を示す受信履歴（通信完了履歴）をメモリ２１Ｍに記録して登録処理を終了する。すなわち、通信制御部２１は、セキュリティ機器１０との間で段階的に送受信が行われると、その送受信毎の通信履歴を個別にメモリ２１Ｍに記録する。
【００３７】
なお、本実施形態において通信制御部２１は、対応する信号の受信回数または送信回数を各通信履歴としてメモリ２１Ｍに記録するようになっている。
＜セキュリティ制御システム１の動作＞
次に、このように構成されたセキュリティ制御システム１の動作について説明する。
【００３８】
（セキュリティ制御通信動作）
セキュリティ機器１０のセキュリティ制御部１１が通常モードであるとともに、携帯機２０の通信制御部２１が登録モードではない場合には、両者間でセキュリティ制御通信が行われる。
【００３９】
具体的には、図３に示すように、ステップＳ１においてセキュリティ機器１０は、前記通信領域Ａ１に対して前記ＷＡＫＥ信号を間欠的に送信する。
携帯機２０は、ステップＳ２で示すように該ＷＡＫＥ信号を受信していない状態においてはスリープ状態となっており、前記領域Ａ１内に携帯機２０が進入してセキュリティ機器１０からのＷＡＫＥ信号を受信すると、ステップＳ３において動作モードに切り換わる。そして、ステップＳ４において携帯機２０は前記ＡＣＫ信号を送信する。
【００４０】
セキュリティ機器１０は、携帯機２０からのＡＣＫ信号を受信すると、ステップＳ５において前記リクエスト信号を送信する。
そして、携帯機２０は、該リクエスト信号を受信すると、ステップＳ６において前記機器コードの照合を行い、該照合が成立するとステップＳ７において前記ＩＤコード信号を送信する。
【００４１】
セキュリティ機器１０は、携帯機２０からのＩＤコード信号を受信すると、ステップＳ８において前記ＩＤコードの照合を行い、該照合が成立するとステップＳ９において前記ドアロック装置１４に解錠駆動信号を出力してドア錠を解錠させる。
【００４２】
（登録通信動作）
一方、図４に示すように、ステップＳ１１においてセキュリティ機器１０のセキュリティ制御部１１が登録ツール１５によって登録モードに切り換えられるとともに、ステップＳ１２において携帯機２０の通信制御部２１がモード切換スイッチ２５の操作によって登録モードに切り換えられた場合には、両者間で登録通信が行われる。
【００４３】
すなわち、ステップＳ１３においてセキュリティ機器１０は、まず前記第１登録要求信号を送信する。
そして、携帯機２０は、この第１登録要求信号を正常に受信すると、ステップＳ１４において対応する受信履歴をメモリ２１Ｍに記録した後、ステップＳ１５において前記機器コード信号を送信するとともに、ステップＳ１６においてその送信履歴をメモリ２１Ｍに記録する。
【００４４】
セキュリティ機器１０は、機器コード信号を受信するとステップＳ１７において前記機器コード照合を行い、該照合が成立した場合、または機器コード信号に含まれる機器コードが自身のメモリ１１Ｍに記録された機器コードと一致する場合には、ステップＳ１８において前記第２登録要求信号を送信する。
【００４５】
携帯機２０は、この第２登録要求信号を正常に受信すると、ステップＳ１９において該第２登録要求信号に含まれる機器コードと受信履歴とをメモリ２１Ｍに記録する。そして、携帯機２０は、ステップＳ２０において前記ＩＤコード信号を送信するとともに、ステップＳ２１においてその送信履歴をメモリ２１Ｍに記録する。
【００４６】
セキュリティ機器１０は、ＩＤコード信号を受信すると、ステップＳ２２において該ＩＤコード信号に含まれるＩＤコードをメモリ１１Ｍに記録するとともに、ステップＳ２３において前記登録完了信号を送信する。
【００４７】
そして、携帯機２０は、該登録完了信号を正常に受信すると、ステップＳ２４においてその旨を示す通信完了履歴をメモリ２１Ｍに記録する。
＜セキュリティ制御システム１の作用＞
よって、このように動作するセキュリティ制御システム１では、セキュリティ機器１０と携帯機２０との間で登録通信が正常に行われた場合には、携帯機２０のメモリ２１Ｍには、全ての通信履歴が一致することとなる。また、例えば登録通信に異常があった場合には、全ての通信履歴が一致しなくなる。
【００４８】
具体的には、例えば図５に示すように、初期状態にある携帯機２０とセキュリティ機器１０との間で該登録通信を行った場合において、該登録通信が正常に行われると、携帯機２０のメモリ２１Ｍに記録された各通信履歴の回数は全て「１」となる。
【００４９】
一方、初期状態にある携帯機２０とセキュリティ機器１０との間で該登録通信を行った場合において、同図に項目［４］で示すように携帯機２０から送信されたＩＤコード信号が何らかの要因（例えばノイズ等の外乱）によりセキュリティ機器１０が正常に受信できなかった場合には、該セキュリティ機器１０から登録完了信号（同図に示す項目［５］）が送信されない。このため、図５（ｂ）に示すように、携帯機２０のメモリ２１Ｍに記録された各通信履歴は、通信完了履歴のみが存在しない「異常Ａ」の通信履歴がメモリ２１Ｍに記録された状態となる。
【００５０】
また、例えば前記「異常Ａ」の状態により登録通信が行えなかったことにユーザが気づかず、その携帯機２０を用いて、他の車両に搭載された別のセキュリティ機器１０（第２セキュリティ機器）との間で再度登録通信を試みた場合には「異常Ｂ」の通信履歴がメモリ２１Ｍに記録された状態となる。すなわちこの場合、携帯機２０のメモリ２１Ｍには、最初のセキュリティ機器１０（第１セキュリティ機器）との登録通信時において、該第１セキュリティ機器の機器コードが既に記録された状態となっている。このため、第２セキュリティ機器は、携帯機２０からの機器コード信号を受信しても第２登録要求信号を送信しない。すなわち、第２セキュリティ機器との間での登録通信は、図５（ａ）に示す項目［２］までしか行われない。よってこの場合、メモリ２１Ｍに記録された各通信履歴は、第１登録要求信号（項目［１］）の受信履歴及び機器コード信号（項目［２］）の送信履歴の回数が他の通信履歴の回数よりも大きくなった状態となるとともに、登録完了信号（項目［５］）の受信履歴の回数は「０」となる。
【００５１】
さらに、例えば既に正常な通信登録が行われた携帯機２０を用いて、他の車両のセキュリティ機器１０（第２セキュリティ機器）との間で登録通信を試みた場合には「異常Ｃ」の通信履歴がメモリ２１Ｍに記録された状態となる。すなわちこの場合においても、携帯機２０のメモリ２１Ｍには第１セキュリティ機器の機器コードが既に記録された状態となっている。このため、第２セキュリティ機器との間での登録通信は、前記項目［２］までしか行われない。よってこの場合、メモリ２１Ｍに記録された各通信履歴は、「異常Ｂ」と同様に項目［１］，［２］の通信履歴の回数が他の通信履歴の回数よりも大きくなる一方、項目［５］の通信履歴の回数は「１」となる。
【００５２】
以上のように、正常な登録通信が行われた場合と、何らかの要因によって正常に行われなかった場合とで、携帯機２０のメモリ２１Ｍに記録された各通信履歴の内容が異なる。このため、こうした通信履歴を分析することにより、登録通信不良の要因を推定することが可能となる。なお、こうした通信履歴の分析は、例えば通信制御部２１に外部機器を接続してメモリ２１Ｍ内の各通信履歴を抽出することなどによって実現される。
【００５３】
したがって、本実施形態によれば以下のような効果を得ることができる。
（１）セキュリティ機器１０及び携帯機２０の登録モードにあっては、セキュリティ機器１０から段階的に送信される第１登録要求信号、第２登録要求信号及び登録完了信号が携帯機２０によって正常に受信されると、その旨を示す通信履歴（受信履歴）がメモリ２１Ｍにそれぞれ個別に記録される。また、それら信号に対応した応答信号（機器コード信号、ＩＤコード信号）が携帯機２０から正常に送信された際にも、その旨を示す通信履歴（送信履歴）がメモリ２１Ｍにそれぞれ個別に記録される。このため、セキュリティ機器１０を通信対象として登録する登録作業を行っても該登録が完了しなかった場合には、メモリ２１Ｍに記録された通信履歴に基づいて、携帯機２０の機能に異常が生じているか否かを判断可能となる。具体的には、例えばセキュリティ機器１０から送信される各信号を正常に受信した履歴と、それら信号に対応した信号を正常に送信した履歴とがメモリ２１Ｍに存在する場合には、携帯機２０の機能に異常が生じておらず、他の要因によって登録が完了していない確率が高い。また、例えばセキュリティ機器１０から送信される各信号を正常に受信した履歴は存在するものの、それら信号に対応した信号を正常に送信した履歴が存在しない場合には、携帯機２０の機能に異常が生じている確率が高い。よって、携帯機２０に不具合が生じているか否かを容易に推定することが可能となる。
【００５４】
（２）特に登録通信は頻繁に行われるものではなく、セキュリティ制御通信に比べてヒューマンエラーの発生確率が高いため、実際には携帯機２０に異常が生じていないにも拘わらず、ユーザによって携帯機２０に異常が生じていると判断されるおそれがある。具体的には、図５（ｂ）に「異常Ｂ」や「異常Ｃ」として示したように、登録通信を既に行った携帯機２０を用いて他のセキュリティ機器１０と登録通信を行った場合には、当然ながら該他のセキュリティ機器１０との登録通信は完了しない。こうした場合にユーザは携帯機２０に異常が生じていると判断してしまうおそれがある。しかし、メモリ２１Ｍに記録された通信履歴を解析することにより携帯機２０の機能に異常が生じているか否かを推定することができる。
【００５５】
（３）携帯機２０は、セキュリティ機器１０との間で段階的な送受信を行うことにより登録通信を完了する。そして、その段階的な通信履歴がメモリ２１Ｍに記録される。このため、該通信履歴を携帯機２０から抽出することにより、どの段階まで通信が正常に行われたかを認識することができる。よって、登録通信が完了しなかった場合には、こうした通信履歴に基づいてその要因を推定しやすくなる。
【００５６】
（４）セキュリティ機器１０は、登録通信の完了時に登録完了信号を送信するようになっている。そして、携帯機２０は、該登録完了信号を正常に受信した際にも、その旨を登録完了履歴としてメモリ２１Ｍに記録する。このため、メモリ２１Ｍに登録完了履歴が存在するか否かを調べることにより、携帯機２０が既に登録完了状態にあるのか未完了状態であるのかを確実に把握することができる。
【００５７】
（５）通信制御部２１は、送受信回数を通信履歴としてメモリ２１Ｍに記録する。このため、該送受信回数に基づき、登録通信が何回行われ、その都度どの段階まで通信が行われたかを認識可能となるため、登録通信が正常に行われなかった場合には、その要因を高い精度で推定することができる。
【００５８】
なお、本発明の実施形態は以下のように変更してもよい。
・  メモリ２１Ｍに記録された通信履歴を表示部２６によって表示可能としてもよい。この場合、例えばモード切換スイッチ２５が特殊操作（長押し操作、連続押し操作等）された際に通信制御部２１が履歴表示モードに切り換わり、各通信履歴の回数を順に点滅させることなどが考えられる。また、こうした通信履歴を表示するための専用の表示手段を携帯機２０に設けてもよい。その一方で、表示部２６を省略し、通信履歴の表示はもちろん、施解錠スイッチ２４の操作に応じた表示自体も行わないようにしてもよい。
【００５９】
・  セキュリティ機器１０は、登録通信の完了時に必ずしも登録完了信号を送信するようになっている必要はなく、携帯機２０の通信制御部２１も、こうした登録完了信号の受信履歴を必ずしもメモリ２１Ｍに記録するようになっていなくてもよい。
【００６０】
・  携帯機２０の通信制御部２１は、セキュリティ機器１０との登録通信時に段階的に行われる通信履歴を、必ずしも個別にメモリ２１Ｍに記録しないようになっていてもよい。具体的には、通信制御部２１は、例えば第１登録要求信号の受信履歴と、その第１登録要求信号に応答した機器コード信号の送信履歴とのみをメモリ２１Ｍに記録し、第２登録要求信号及び登録完了信号の受信履歴と、ＩＤコード信号の送信履歴とについてはメモリ２１Ｍに記録しないようになっていてもよい。こうした場合においても、メモリ２１Ｍに記録された通信履歴を解析することにより、携帯機２０の送受信機能に異常が生じているか否かを推定することができる。すなわち、メモリ２１Ｍに受信履歴すら存在しない場合には、携帯機２０の受信機能に異常が生じているおそれがあるものの、それ以前にセキュリティ機器１０に異常が生じていると推定することができる。また、メモリ２１Ｍに受信履歴は存在するものの、送信履歴については存在しない場合には、携帯機２０の送信機能や通信制御部２１の処理機能に異常が生じていると推定することができる。さらに、該受信履歴及び送信履歴が共にメモリ２１Ｍに存在する場合には、携帯機２０に異常が生じていないと推定することができる。
【００６１】
・  前記実施形態では、登録モードにおいて通信制御部２１は、セキュリティ機器１０から送信される各信号の受信回数とそれら信号に応答して送信する信号の送信回数とを通信履歴として、それぞれ個別にメモリ２１Ｍに記録するようになっている。しかしながら、通信制御部２１は、こうした送受信回数ではなく、例えば最新の通信履歴の時間情報をそれぞれ個別にメモリ２１Ｍに記録するようになっていてもよい。このようにしても、該時間情報から一連の登録通信が全て完了しているか否かを判断することができる。
【００６２】
・  前記実施形態では、携帯機２０にはモード切換スイッチ２５が設けられ、該モード切換スイッチ２５の操作に基づいて通信制御部２１のモードが登録モードに切り換わるようになっている。しかし、セキュリティ機器１０は、登録モードに切り換わった際に、携帯機２０に対してモードを切り換える旨のモード変更信号を送信するようになっていてもよく、携帯機２０は、そのモード変更信号に基づいて登録モードに切り換わるようになっていてもよい。このようにすれば、モード切換スイッチ２５を用いなくても通信制御部２１のモードを変更することができるため、該モード切換スイッチ２５を省略して携帯機２０の構造を簡素化することができる。また、ユーザの意に反したモード切換スイッチ２５の操作により、通信制御部２１が登録モードに切り換わってしまうこともない。
【００６３】
・  セキュリティ機器１０は、車両２の施解錠制御に限らず、エンジン始動許可制御を行うようになっていてもよい。また、セキュリティ機器１０は、車両２に搭載されることに限らず、例えば住宅のドア錠等の施解錠制御を行う建物用セキュリティ機器として具体化されてもよい。
【００６４】
次に、特許請求の範囲に記載された技術的思想のほかに、前述した実施形態によって把握される技術的思想を以下に列挙する。
（１）  請求項１〜３のいずれか１項に記載の携帯機において、前記通信制御手段は、前記登録モードにあっては、前記各通信履歴として、前記応答要求信号を正常に受信した回数と、該応答要求信号に対応した前記応答信号を正常に送信した回数とをそれぞれ前記記録手段に記録すること。
【図面の簡単な説明】
【００６５】
【図１】本発明の一実施形態のセキュリティ制御システムの概略構成を示すブロック図。
【図２】同実施形態のセキュリティ制御システムを搭載した車両を概略的に示す平面図。
【図３】同実施形態のセキュリティ制御通信を示すシーケンスチャート。
【図４】同実施形態の登録通信を示すシーケンスチャート。
【図５】（ａ）は登録通信手順を模式的に示す図、（ｂ）は記録手段に記録される通信履歴の例を示す表。
【図６】従来のセキュリティ制御システムの登録通信手順を模式的に示す図。
【符号の説明】
【００６６】
１…セキュリティ制御システム、１０…セキュリティ機器、１１Ｍ…機器側記録手段としてのメモリ、２０…携帯機、２１…通信制御手段としての通信制御部、２１Ｍ…記録手段としてのメモリ。
【図１】
2007303127.tif 000003
【図２】
2007303127.tif 000004
【図３】
2007303127.tif 000005
【図４】
2007303127.tif 000006
【図５】
2007303127.tif 000007
【図６】
2007303127.tif 000008